(57)【特許請求の範囲】
【請求項１】
移動通信ネットワークにおいてパワー制御を行なう方法であって、
ａ）少なくとも１つのベースステーションから前記移動通信ネットワークのネットワークエレメントへ、またはその逆に、前記少なくとも１つのベースステーションと移動端末との間の無線伝送の質を定める信頼性情報を伝送し、
ｂ）伝送された信頼性情報に基づいて、パワー制御のためのターゲットセットポイントの変更を決定し、
ｃ）前記ターゲットセットポイントの変更を定めるパワー制御コマンドを、前記ネットワークエレメントから前記少なくとも１つのベースステーションへ伝送する、
各段階を含み、前記ターゲットセットポイントは、ビット当りターゲットエネルギー対ノイズパワー密度比Ｅｂ／Ｎｏであり、そして前記制御情報のフォーマット及び／又はコーディングはチャンネルセットアップ段階において定められ、そしてベアラーデペンデントであることを特徴とする方法。
【請求項２】
前記信頼性情報は、前記ネットワークエレメントに接続された複数のベースステーションによって伝送され、パワー制御のための前記ターゲットセットポイントの変更は、前記複数のベースステーションから前記ネットワークエレメントへ伝送される各信頼性情報を総合的に考慮することによって行なわれ、前記パワー制御コマンドは、前記複数のベースステーションの各々へ伝送される請求項１に記載の方法。
【請求項３】
パワー制御のためのターゲットセットポイントの前記変更の前記決定は、最良の信頼性情報の選択に基づいて行なわれる請求項２に記載の方法。
【請求項４】
パワー制御のためのターゲットセットポイントの前記変更の前記決定は、受信した信頼性情報の所定の組み合わせに基づいて行なわれる請求項２に記載の方法。
【請求項５】
前記ネットワークエレメントは、無線ネットワークコントローラである請求項１から４のうちのいずれか１項に記載の方法。
【請求項６】
前記信頼性情報は、制御情報としてアップリンクデータパケットへ挿入される請求項１から５のうちのいずれか１項に記載の方法。
【請求項７】
前記信頼性情報は前記ベースステーションにより行われる冗長度コードチェック及び／又はチャネルデコーダ特定パラメータにより行われた結果を含む請求項１から６のうちのいずれか１項に記載の方法。
【請求項８】
異なるアップリンクブランチが組み合わされるとき、１つの合成信頼性情報が定められる請求項１から７のうちのいずれか１項に記載の方法。
【請求項９】
前記パワー制御コマンドは、制御情報としてダウンリンクデータパケットへ挿入される請求項１から８のうちのいずれか１項に記載の方法。
【請求項１０】
ダウンリンクデーターパケットが送られていない間で前記パワー制御コマンドが送られるときは、前記パワー制御コマンドのみを含み、ユーザーデーターを含んでいないエンプティダウンリンクデーターパケットが送られる請求項９に記載の方法。
【請求項１１】
前記パワー制御コマンドが、ビット当りターゲットエネルギー対ノイズパワー密度比Ｅｂ／Ｎｏの変更を決めている請求項１から１０のいずれか１項に記載の方法。
【請求項１２】
前記パワー制御コマンドが１ビットの長さを有し、そしてＥｂ／Ｎｏの増し分もしくは減り分を決めている請求項１１に記載の方法。
【請求項１３】
前記パワー制御コマンドが複数の長さを有し、そしてＥｂ／Ｎｏの変更値を決めている請求項１１に記載の方法。
【請求項１４】
ダウンリンクデータスプリッティングがネットワークエレメントにおいて行なわれるとき、前記パワー制御コマンドは、すべてのブランチにおいて複製される請求項１から１３のうちのいずれか１項に記載の方法。
【請求項１５】
前記ターゲットセットポイントの絶対値は、すべてのブランチにおいて専用チャンネルアクティビィティ中にセットされる請求項１から１４のうちのいずれか１項に記載の方法。
【請求項１６】
前記ターゲットセットポイントの変更のためのステップサイズは、レーヤー３シグナリングを使用して前記専用チャンネルアクティビィティ中に再定めされる請求項１５に記載の方法。
【請求項１７】
少なくとも１つのベースステーション（１０）およびこの少なくとも１つのベースステーション（１０）に接続されたネットワークエレメント（２０）を含む移動通信ネットワークにおいてパワー制御を行なうためのシステムであって、
ａ）前記少なくとも１つのベースステーション（１０）は、ベースステーション（１０）と移動端末との間の無線伝送の質を定める信頼性情報を生成するための生成手段（１２）と、前記信頼性情報を前記ネットワークエレメント（２０）へ伝送するための伝送手段（１４）とを備えており、
ｂ）前記ネットワークエレメント（２０）は、前記信頼性情報を受信するための受信手段（２１）と、受信した信頼性情報に基づいてパワー制御のためのターゲットセットポイントの変更を決定するための決定手段（２３）と、前記ターゲットセットポイントの前記変更を定めるパワー制御コマンドを生成するための生成手段（２４）と、前記パワー制御コマンドを前記少なくとも１つのベースステーション（１０）へ伝送するための伝送手段（２１）とを備え、
前記ターゲットセットポイントはビット当りターゲットエネルギー対ノイズパワー密度比Ｅｂ／Ｎｏであり、そして
前記パワー制御コマンドのフォーマット及び／又はコーディングは、チャンネルセットアップ段階において定められ、ベアラーデペンデントであることを特徴とするシステム。
【請求項１８】
前記少なくとも１つのベースステーション（１０）の前記伝送手段（１４）は、前記信頼性情報を制御情報としてアップリンクデータパケットへ挿入するように構成されている請求項１７に記載のシステム。
【請求項１９】
前記少なくとも１つのベースステーション（１０）は、前記移動端末から受信される冗長度コードをチェックするためのチェッキング手段（１２）を備え、前記ベースステーション（１０）の前記生成手段（１３）は、前記チェッキング手段（１２）のチェッキング結果及び／又はチャンネル特定パラメータに基づいて前記信頼性情報を生成する請求項１７または１８に記載のシステム。
【請求項２０】
前記ネットワークエレメント（２０）の前記伝送手段（２１）は、前記パワー制御コマンドを制御情報としてダウンリンクデータパケットへ挿入するように構成されている請求項１７から１９のうちのいずれか１項に記載のシステム。
【請求項２１】
ダウンリンクデータパケットが伝送されていない間に前記パワー制御コマンドが必要とされるときに、前記パワー制御コマンドのみを含み、ユーザーデーターを含まないエンプティダウンリンクパケットを生成するように前記ネットワークエレメント（２０）の前記伝送手段（２１）が構成されている請求項２０に記載のシステム。
【請求項２２】
受信したパワー制御コマンドによって定められた変更にしたがってパワー制御のためのターゲットセットポイントを変更するためのターゲットセッティング手段（１５）を前記少なくとも１つのベースステーション（１０）が備える請求項１７から２１のうちのいずれか１項に記載のシステム。
【請求項２３】
前記ターゲットセッティング手段（１５）は、前記ターゲットセットポイントの絶対値をセットするようにレーヤー３シグナリングに基づいて制御されうる請求項２２に記載のシステム。
【請求項２４】
前記ターゲットセッティング手段（１５）は、前記ターゲットセットポイントの変更のためのステップサイズを再定めするようにレーヤー３シグナリングに基づいて制御されうる請求項２０に記載のシステム。
【請求項２５】
前記ネットワークエレメント（２０）の前記決定手段（２３）は、複数のベースステーション（１０）から受信される各信頼性情報に基づいてパワー制御のための前記ターゲットセットポイントの前記変更を決定するように構成されており、前記パワー制御コマンドは、前記ネットワークエレメント（２０）の前記伝送手段（２１）によって前記複数のベースステーション（１０）の各々へ伝送される請求項１７から２４のうちのいずれか１項に記載のシステム。
【請求項２６】
前記複数のベースステーション（１０）から受信した最良の信頼性情報の選択に基づいてパワー制御のための前記ターゲットセットポイントの前記変更を決定するように前記決定手段（２３）が構成されている請求項２５に記載のシステム。
【請求項２７】
受信した信頼性情報の所定の組み合わせに基づいてパワー制御のための前記ターゲットセットポイントの前記変更を決定するように前記決定手段（２３）が構成されている請求項２５に記載の方法。
【請求項２８】
複数のアップリンクブランチに対して生成された複数の信頼性情報に基づいて合成信頼性情報を決定するように前記少なくとも１つのベースステーション（１０）の前記生成手段（１２）が構成されている請求項１７から２７のうちのいずれか１項に記載のシステム。
【請求項２９】
前記複数のアップリンクブランチの最悪信頼性情報に基づいて、または、前記生成された信頼性情報の所定の組み合わせに基づいて、前記合成信頼性情報を決定するように前記少なくとも１つのベースステーション（１０）の前記生成手段（１２）が構成されている請求項２８に記載のシステム。
【請求項３０】
前記ネットワークエレメントは無線ネットワークコントローラ（２０）である請求項１７から２９のうちのいずれか１項に記載のシステム。
【請求項３１】
請求項１７から３０のうちのいずれか１項に記載のシステムにおいて使用するネットワークエレメント。
【請求項３２】
請求項１７から３０のうちのいずれか１項に記載のシステムにおいて使用するベースステーション。
【発明の詳細な説明】
【０００１】
【技術分野】
本発明は、移動通信ネットワーク、例えば、ＵＭＴＳ（ユニバーサル移動テレコミュニケーションシステム）のようなＷＣＤＭＡ（ワイドバンドコード分割多重アクセス）システムの無線アクセスネットワークにおいてパワー（電力）制御を行う方法及びシステムに係る。
【０００２】
【背景技術】
移動無線ネットワークでは、受信アップリンク信号・対・干渉比（ＳＩＲ）を所定のＳＩＲ目標値に保持するために、移動ステーションの送信電力が閉ループ電力制御によって調整される。それ故、移動ステーションを制御するベースステーションは、現在周波数帯域において全アップリンク受信干渉の推定を行う。この推定に基づいて、ベースステーションは、電力制御コマンドを発生し、これが移動ステーションに送信される。
【０００３】
電力制御コマンドを受信すると、移動ステーションは、所与の方向に所定ステップで送信電力を調整する。ステップのサイズは、異なる無線セル間で相違するパラメータである。
【０００４】
更に、閉ループ電力制御により使用されるＳＩＲ目標値を調整するために外部ループ電力制御が実行される。ＳＩＲ目標値は、各接続に対し、その接続の推定クオリティに基づいて独立して調整される。更に、アップリンクチャンネル間の電力オフセットも調整される。クオリティ推定値は、異なるサービス組合せに基づいて導出される。典型的に、推定ビットエラー率及びフレームエラー率の組合せが使用される。
【０００５】
ＷＣＤＭＡシステムの無線アクセスネットワークでは、パケット交換サービス及び回路交換サービスを可変帯域巾で自由に混合することができ、そして特定のクオリティレベルで同じユーザに同時に提供することができる。更に、ユーザの帯域巾要求をセッション中に変更することができる。それ故、ＷＣＤＭＡシステムのこのような無線アクセスネットワークでは、柔軟性のある電力制御が必要とされる。
【０００６】
【発明の開示】
それ故、本発明の目的は、柔軟性のある電力制御を遂行する方法及びシステムを提供することである。
【０００７】
この目的は、移動通信ネットワークの電力制御を実行する方法において、少なくとも１つのベースステーションから移動通信ネットワークのネットワーク要素へ信頼性情報を送信し、この信頼性情報は、少なくとも１つのベースステーションから移動ターミナルへの又はそれとは逆の無線送信のクオリティを定義するものであり、上記送信された信頼性情報に基づいて電力制御の目標設定点の変化量を決定し、そして上記目標設定点の変化量を定義する電力制御コマンドをネットワーク要素から少なくとも１つのベースステーションに送信するという段階を備えた方法により達成される。
【０００８】
更に、上記目的は、ベースステーションと、このベースステーションに接続されたネットワーク要素とを備えた移動通信ネットワークの電力制御を実行するためのシステムにおいて、ベースステーションは、ベースステーションから移動ターミナルへの又はそれとは逆の無線送信のクオリティを定義する信頼性情報を発生するための発生手段と、その信頼性情報をネットワーク要素へ送信するための送信手段とを備え、そしてネットワーク要素は、信頼性情報を受信するための受信手段と、その受信した信頼性情報に基づいて電力制御の目標設定点の変化量を決定するための決定手段と、その目標設定点の変化量を定義する電力制御コマンドを発生するための発生手段と、その電力制御コマンドをベースステーションに送信するための送信手段とを備えたシステムによって達成される。
【０００９】
従って、外部ループ電力制御は、ネットワーク要素において、ベースステーションにより設定された信頼性情報を使用して、ベアラ特有の制御手順を実行できるように遂行され、この手順のシグナリングは、ユーザ平面を介して行うことができる。これにより、ビットレート、必要なクオリティ、ビットエラー率、コード化及びインターリーブ等のベアラ特性に電力制御パラメータを適応させるように、必要な柔軟性をもつ外部ループ電力制御を実現することができる。
【００１０】
電力制御は、ネットワーク要素に接続された複数のベースステーションから送信される信頼性情報に基づいて遂行することもでき、この場合、電力制御の目標設定点の変化は、複数のベースステーションからネットワーク要素へ送信される各信頼性情報に基づいて実行され、そして電力制御コマンドは、複数のベースステーションの各々に送信される。これにより、２つ以上のベースステーションが１つの移動ターミナルと同時に通信するソフトハンドオーバーの場合にも、改善された電力制御を遂行することができる。
【００１１】
電力制御のための目標設定点の変化量の決定は、最良の信頼性情報の選択に基づいて行うこともできるし、或いは又受信した信頼性情報の所定の組合せに基づいて行うこともできる。
【００１２】
目標設定点は、ビット当たりエネルギーとノイズ電力密度との比の目標値である。
【００１３】
ネットワーク要素は、ベアラ特性の所要パラメータが得られる無線ネットワークコントローラであるのが好ましい。
【００１４】
信頼性情報は、ユーザ平面搬送プロトコル（ＵＰＴＰ）のパケットデータユニット（ＰＤＵ）のようなアップリンクデータパケットに制御情報として挿入されてもよい。制御情報のフォーマット及び／又はコードは、ベアラに依存するものでよい。これにより、ＰＤＵのオーバーヘッドをベアラに適応させることができ、ひいては、最小にすることができる。制御情報のフォーマット及び／又はコードは、チャンネル設定段階で定義されるのが好ましい。
【００１５】
信頼性情報は、ベースステーションにより行われる冗長コードチェックの結果を含むか、及び／又はチャンネル特有のパラメータを含んでもよい。異なるアップリンクブランチが結合される場合には、それにより生じる１つの信頼性情報が定義される。これにより、同じベースステーションに所属する複数の無線セルが移動ターミナルとの通信に含まれるようなソフターハンドオーバーの場合にも、改善された電力制御を遂行することができる。
【００１６】
回路網素子で発生した電力制御指令は、ＵＰＴＰのＰＤＵでもあるダウンリンクのデータ・パケットに制御情報として挿入される。ダウンリンク・データパケットが転送されない間電力制御指令が求められる場合、電力制御指令だけを含んでいる空のダウンリンクデータ・パケットが転送される。
【００１７】
電力制御指令の符号化はベアラー・デペンデント（bearer  dependent）であって、それによりダウンリンク・データ・パケットのオーバヘッドを最小とする。具体的には、電力制御指令の符号化はチャンネル・セットアップ・フエースで行われる。
【００１８】
電力制御指令はノイズ・パワーに対するビット当りのエネルギーの密度比Ｅb／Noの変化分を決める。具体的には、電力制御指令はEb／Noの増減分を決めるのに１ビットの長さを有する。または、電力制御指令はEb／Noの増減分を決めるのに複数ビットの長さを有する。
【００１９】
回路網素子においてダウン・リンクデータ・スプリッティングが行われる場合、電力制御指令はすべてのブランチで複製される。
【００２０】
専用のチャンネル動作が行われると、ターゲット・セットポイントの絶対値がすべてのブランチのベース・ステーションによりセットされる。この場合、ターゲット・セットポイントの変動に対するステップの大きさは、レイヤー３シグナリングを使って、専用のチャンネル作動中再定義される。
【００２１】
ベース・ステーションはモバイル・ステーションから受けたレダンダンシー・コードをチェックするチェッキング手段を備えており、そこではベース・ステーションの発生手段がチェッキング手段のチェッキング結果およびまたはチャンネル・デコーダー・スペシィフイケーションに基づいて信頼性情報を発生する。
【００２２】
さらに、ベース・ステーションは、受けた電力制御指令により決められた変動に従って電力制御のターゲット・セットポイントを変えるターゲット設定手段を備えている。このターゲット設定手段はターゲット・セットポイントの絶対値をセットするよう制御できるようになっている。さらに、ターゲット設定手段は、レイヤー３シグナリングに基づいて、ターゲット・セットポイントの変動に対してステップ・サイズを再定義するよう制御できるようになっている。
【００２３】
回路網素子の決定手段は構成を変えて、複数のベース・ステーションから受けたそれぞれの信頼性情報に基づいて電力制御のためのターゲット・セットポイントの変化分を決めれるようにしており、その場合電力制御指令は回路網素子の送信手段により複数のベース・ステーションのそれぞれに送られる。この場合決定手段は、複数のベースステーションから受けた最低の信頼性情報の選択に基づいて、もしくは受けた信頼性情報の所定の組み合わせに基づいて電力制御のためのターゲット・セットポイントの変動を決める。
【００２４】
さらに、少なくとも一つのベース・ステーションの発生手段は、アップ・リンクブランチのため発生された複数の信頼性情報に基づいて総合信頼性情報を決めるように構成されている。この場合、少なくとも一つのベース・ステーションの発生手段は、複数のアップ・リンクブランチの最低の信頼性情報に基づいて、もしくは発生された信頼性情報の所定の組み合わせに基づいて総合信頼性情報を決めるように構成されている。
【００２５】
【好ましい実施例の説明】
添付図を参照して以下に本発明の実施例を説明する。
【００２６】
以下に、ＵＭＴＳのようなＷＣＤＭＡシステムの無線アクセス回路網に基づいて本発明の装置と方法の好ましい実施例を説明する。
【００２７】
このような無線アクセス回路網において、無線回路網制御装置（ＲＮＣ）へ接続された少なくとも一つのベース・ステーションへモバイル・ステーション（ＭＳ）は無線接続されている。ＷＣＤＭＡベースのシステムにおいてＭＳは、マクロ・ダイバシチーのため同時にいくつものＢＳに接続されることができる。
【００２８】
図１は無線セルにサービスするＲＮＣ（ＳＲＮＣ）へ接続されているＢＳ１０を示し、その無線セル内にそのＢＳ１０により制御されているＭＳが今置かれている。ＢＳ１０は、制御されているＭＳと無線連絡する送信機１１を備えている。さらに、ＢＳ１０はＡＴＭスイッチ１４のようなスイッチング手段を備えており、これはＳＲＮＣ２０のようなＡＴＭスイッチ２１のようなスイッチング手段にＢＳ１０の受信路と送信路とを接続する。
【００２９】
さらに、ＢＳ１０が備えている電力制御手段１６は閉路電力制御を行って、ターゲット設定手段１５から供給されたセッティング指令に基づいてＭＳの送信電力を調整する。
【００３０】
以下に、図２を参照して、好ましい実施例による電力制御システムの動作を詳述する。図２では、ＢＳ１０とＳＲＮＣ２０における、そしてそれらの間での情報処理と伝送とを示しており、処理の流れは図２の頂部から始まり、そしてそれの底部へと進む。
【００３１】
最初、制御されるＭＳとＢＳ１０との間の無線伝送の伝送の質は、雑音電力密度に対するビット当たりのエネルギーの比Ｅｂ／Ｎｏに基づいてチェックされ、その比は、実際の受信電力、ビットレート周波数及び受信機の雑音指数から独立した一般の伝送条件のステートメントである。雑音電力に対するサンプル信号の比〔Ｓ／Ｎ〕sとＥｂ／Ｎｏとの関係は、パルス波形と受信フィルタ特性に依存する。伝送の質を決定する他のパラメータも本発明の電力制御システムに使用できることに留意すべきである。
【００３２】
上述したチェックの手順は、ＢＳ１０のチェック手段１２において実行される。チェックした伝送の質に基づいて、ＢＳ１０の発生手段１３は、伝送の質を示す信頼性情報を発生する。信頼性情報は、ＡＴＭスイッチ１４に供給され、ＡＴＭスイッチ１４が、信頼性情報を制御情報としてユーザプレーントランスポートプロトコル（ＵＰＴＰ）のアップリンクパケットデータユニット（ＰＤＵ）に挿入し、そのアップリンクＰＤＵをＳＲＮＣ２０に送信する。
【００３３】
ＳＲＮＣ２０のＡＴＭスイッチ２１は、アップリンクＰＤＵを受信してそれを抽出手段２２へ供給する。抽出手段２２は、受信したアップリンクＰＤＵから信頼性情報を抽出するように構成されている。
【００３４】
抽出された信頼性情報は、決定手段２３へ供給され、決定手段２３は、対応するベアラ特性を考慮しながら供給された信頼性情報に基づいて電力制御設定点の変化を決定する。それにより、Ｅｂ／Ｎｏ設定点は、現在の接続のベアラ特性に適合される。
【００３５】
決定された設定点の変化に基づいて、発生手段２４は、設定点の変化を規定する電力制御コマンド（ＰＣコマンド）を発生する。その後、ＰＣコマンドがＡＴＭスイッチ２１に供給され、そのＡＴＭスイッチ２１が、ＰＣコマンドを制御情報としてＵＰＴＰのダウンリンクＰＤＵに挿入し、そのダウンリンクＰＤＵをＢＳ１０のＡＴＭスイッチ１４に送信する。
【００３６】
ＢＳ１０において、ＡＴＭスイッチ１４は、ダウンリンクＰＤＵからＰＣコマンドを抽出し、それをターゲット設定手段１５に供給する。受信されたＰＣコマンドに基づいて、ターゲット設定手段１５は、電力設定コマンドを発生し、それを電力制御手段１６に供給し、その結果、電力制御設定点が受信されたＰＣコマンドに応じて変化する。その後、電力制御手段１６は、新たな電力制御設定点、すなわち、Ｅb／Ｎｏ設定点に基づいて閉ループ電力制御を実行する。
【００３７】
好ましい実施例の上記説明によれば、外部ループ電力制御アルゴリズムは、ＳＲＮＣ２０に配置され、ＢＳ１０により設定され且つアップリンクユーザデータに含まれた信頼性情報に基づいて、ターゲットＥb／Ｎｏ設定点の変化がコマンドされ、これは、エアーインターフォースにおける第１アップリンク電力制御ループにより使用される。変化すなわちＰＣコマンドは、ＢＣ１０へ送られる。
【００３８】
アップリンクにおける信頼性情報のフォーマット及び／又はコーディングは、対応するベアラに基づいて発生され、チャンネルセットアップフェーズにおいて定められる。それは。例えば、ビットグループについてＢＳ１０のチェック手段により行われる循環冗長コード（ＣＲＣ）チェックの結果、及び／又は、チャンネルデコーダ特定パラメータ等のような幾つかのチャンネル特定パラメータにより構成されてもよい。
【００３９】
２つ以上のＢＳ１０が１つのＭＳと通信する場合、例えば、ソフトハンドオーバの場合には、それぞれのアップリンクＰＤＵにおいてＳＲＮＣ２０が２つ以上の信頼性情報を受信する。この場合、得られた信頼性情報は、受信された信頼性情報の平均又は受信された信頼性情報の一つの選択、例えば、最良の信頼性情報のような所定の組み合わせに基づいてＳＲＮＣ２０の決定手段２３により決定される。その後、電力制御コマンドが２倍又は逓倍され、ＭＳと通信する２つ以上のＢＳ１０に伝送されるそれぞれのダウンリンクＰＤＵに挿入される。
【００４０】
また、異なるアップリンクブランチが１つのＢＳ１０において合成される場合、例えばソフターハンドオーバーの場合には、１つの合成信頼性情報がＢＳ１０の生成手段１３において定められ、それは、例えばアップリンクブランチの最良の信頼性情報に基づいて、または受信された信頼性情報の所定の組み合わせに基づいて得られるか、またはセクターからの合成信号に基づいて生成され得る。
【００４１】
もし、ＳＲＮＣ２０の決定手段２３が、電力制御セットポイントの変化の要件を決定し、ダウンリンクＰＤＵがその時点で送信されていないならば、ＡＴＭスイッチ２１は、生成手段２４から与えられるＰＣコマンドのみを含んでいてユーザーデータを含まない空のＰＤＵを生成する。これは、例えばダウンリンク方向にデータアクティビティがないか、またはダウンリンクＰＤＵの送信レートがＰＣコマンドレートよりも遅い場合に生じ得る。
【００４２】
生成手段２４において生成されたＰＣコマンドのコーディングはベアラ仕様であり、ＳＲＮＣ２０に記憶された専用チャネルパラメータからチャネルセットアップフェーズで定められる。ＰＣコマンドは、所定の上方ステップまたは下方ステップ、すなわちＥｂ／Ｎｏセットポイントの増加または減少を定める単一ビットであり得る。代わりに、ＰＣコマンドは、全く変化を含まない変化のエンティティ、すなわちＥｂ／Ｎｏセットポイントの変化の大きさをより正確に定める多数のビットであっても良い。
【００４３】
ダウンリンクデータ分割が通信ネットワークのメディエーションデバイスコミュニケータ（Mediation Device Communicator − ＭＤＣ）ユニットで実施される場合には、同じ電力制御コマンドが全ブランチで複製される。
【００４４】
全ブランチにおいてＥｂ／Ｎｏセットポイントの絶対値をセットし、それによって、ハンドオーバによって引き起こされ得る異なるブランチのＥｂ／Ｎｏセットポイント値のドリフトを回避するように、専用チャネルアクティビティ中に、ＢＳ１０のターゲットセッティング手段１５をレイヤー３（Ｌ３）シグナリングによって制御することができる。更に、Ｅｂ／Ｎｏセットポイント変化のステップサイズを再度定めるように、ターゲットセッティング手段１５をＬ３シグナリングを使用して制御することができる。
【００４５】
従って、アウターループ電力制御は、そのパラメータ、すなわち信頼性情報、ＰＣコマンド、ステップサイズ、ＰＣコマンドのレートを、ベアラ特性、すなわちビットレート要求クオリティ、ビットエラーレート、コーディングおよびインターリービング等に適合させるように、必要な柔軟性を有するように提供される。
【００４６】
好ましい実施例として記載される電力制御方法およびシステムは、ネットワーク要素に接続された基地局を備える何れの移動体無線ネットワークにも適用され得ることは、注目されるべきである。好ましい異実施例および添付の図面の上記記載は、本発明を例示することのみを意図している。従って、本発明の好ましい実施例は添付の請求の範囲内で変更可能である。
【００４７】
要するに、基地局および基地局に接続されたネットワーク要素を備える移動体通信ネットワークにおいて電力制御を実施するための方法およびシステムであって、信頼性情報が少なくとも１つの基地局からネットワーク要素に送信され、信頼性情報は少なくとも１つの基地局と１つの移動体端末との間、または１つの基地局と少なくとも１つの移動体端末との間の個々の無線送信の質を定めるような方法およびシステムが記載されている。送信された信頼性情報に基づいて、ネットワーク要素は、電力制御のためのターゲットセットポイントの変化を決定し、ターゲットセットポイントの変化を定める電力制御コマンドを少なくとも１つの基地局に送信する。それによって、ベアラ仕様の制御プロシジャーを実施することができ、そのプロシジャーのシグナリングをユーザー水準によって実施することができる。本実施は必要な柔軟性を有するアウターループ電力制御を提供して、そのパラメータを実際の接続のベアラ特性に適合させるようにする。
【図面の簡単な説明】
【図１】  本発明の好ましい実施例の電力制御システムの、ベース・ステーションもしくはサービス無線回路網制御器、またはベース・ステーションとサービス無線回路網制御器との間での情報の処理と流れとを示す図である。
【図２】  本発明の好ましい実施例の電力制御システムの原理的ブロック図である。
【図１】
0003745622.tif 000002
【図２】
0003745622.tif 000003